(57)【要約】      （修正有）【課題】  組立における工数の削減、高さを低くすること、剛性を高めることのできるジュールカムを提供する。【解決手段】  金型の上型と下型との間に装着され、前記上型に固定されて上下移動されるカムドライバ２と、該カムドライバ２の上下移動によりカム面２ａに沿って所望方向に移動されるカムスライダ３と、該カムスライダ３を移動自在に保持し前記下型側に固定されるカムベース４とからなる据置き型のモジュールカム１において、前記カムベース４には、前記下型に取り付け固定するための固定部４ａが一体にして設けられると共に、前記固定部４ａの前端部からカムスライダ前進方向に沿って延設部４ｂを設け、更に上方に向けて前記延設部４ｂを延ばし、その上端部に前記カムスライダの工具取付面に対向する工具用の受け台取付部４ｃが設けられているモジュールカム１とする。【選択図】図１
2005103565.tif 000002
【特許請求の範囲】
【請求項１】
金型の上型と下型との間に装着され、前記上型に固定されて上下移動されるカムドライバと、該カムドライバの上下移動によりカム面に沿って所望方向に移動されるカムスライダと、該カムスライダを移動自在に保持し前記下型側に固定されるカムベースとからなる据置き型のモジュールカムにおいて、
前記カムベースには、前記下型に取り付け固定するための固定部が一体にして設けられると共に、前記固定部の前端部からカムスライダ前進方向に沿って延設部を設け、更に上方に向けて前記延設部を延ばし、その上端部に前記カムスライダの工具取付面に対向する工具用の受け台取付部が設けられていること、
を特徴とするモジュールカム。
【請求項２】
金型の上型と下型との間に装着され、前記上型に固定されて上下移動されるカムベースと、該カムベースに支持され前記上下移動によりカム面に沿って所望方向に移動されるカムスライダと、該カムスライダを移動させるカム面を有し前記下型側に固定されるカムドライバとからなる吊下げ型のモジュールカムにおいて、
前記カムドライバには、前記下型に取り付け固定するための固定部が一体にして設けられると共に、前記固定部の前端部からカムスライダ前進方向に沿って延設部を設け、更に上方に向けて前記延設部を延ばし、その上端部に前記カムスライダの工具取付面に対向する工具用の受け台取付部が設けられていること、
を特徴とするモジュールカム。  
【発明の詳細な説明】
【技術分野】
【０００１】
本発明は、例えば、自動車等のボディフレーム等を加工する金型に取り付けられるモジュールカムに関するものである。
【背景技術】
【０００２】
前記モジュールカム１１は、例えば、図５に示すように、据置き型タイプにおいて、カムベース１２と、該カムベース１２に設けられるカムスライダー１３と、該カムスライダー１３を可動させるカムドライバー１４とで、一つのカムユニットに形成されている。
【０００３】
前記モジュールカム１１は、金型における移動金型（上型）に前記カムドライバー１４がボルト等で固着され、カムベース１２が固定金型（下型）にモジュールベース１５を介してボルト等で固着される。
【特許文献１】特開２００２−３４６６６１号公報
【０００４】
具体的には、前記カムベース１２には、カム面に沿って移動された前記カムスライダー１３を元の位置に戻す弾性部材を備えた戻し機構部１２ａが設けられ、前記カムスライダー１３の工具取り付け面１３ａにはリテーナ１６及びパンチ１７が取り付けらる。一方、前記モジュールベース１５においては、その前方の端部から延設部１５ａが延設され、更に、前記パンチ１７の進行側にこれに対向するように上に起立された受け台取付部１５ｂが延設されている。そして、前記受け台取付部１５ｂに、受け台１８が固定されている。  
【０００５】
しかしながら、前記モジュールカム１１は、カムベース１２と、カムスライダー１３と、ドライバー１４との３点で一つのカムユニットとして、保管・管理され、金型に供給される。よって、金型にこのモジュールカム１１を装着する際には、前記モジュールベース１５にボルトでカムベース１２を取り付けるので、このカムベース１２の上をスライドするカムドライバー１３のパンチ１７と受け台１８との芯合わせをしながら、ズレないようにボルト締め作業をしなければならず、手間が掛かる。
また、モジュールベース１５の上に、モジュールカム１１が乗るので、固定金型の載置面からモジュールカム１１の上端面までの高さが高くなる。
更に、モジュールベース１５がカムベース１２を取り付けるためのネジ孔を必要とするために、当該ベース躯体の断面欠損となって、剛性が低下する、という課題がある。
【発明の開示】
【発明が解決しようとする課題】
【０００６】
解決しようとする問題点は、金型の下型側に固定されるモジュールベース１５とカムベース１２とが、別体となっていることで、組立工数が嵩むと共に、芯合わせに手間が掛かり、高さが高くなり、カム全体の剛性を高くすることができない点である。
【課題を解決するための手段】
【０００７】
本発明に係るモジュールカムは、金型の上型と下型との間に装着され、前記上型に固定されて上下移動されるカムドライバと、該カムドライバの上下移動によりカム面に沿って所望方向に移動されるカムスライダと、該カムスライダを移動自在に保持し前記下型側に固定されるカムベースとからなる据置き型のモジュールカムにおいて、前記カムベースには、前記下型に取り付け固定するための固定部が一体にして設けられると共に、前記固定部の前端部からカムスライダ前進方向に沿って延設部を設け、更に上方に向けて前記延設部を延ばし、その上端部に前記カムスライダの工具取付面に対向する工具用の受け台取付部が設けられていることである。
また、金型の上型と下型との間に装着され、前記上型に固定されて上下移動されるカムベースと、該カムベースに支持され前記上下移動によりカム面に沿って所望方向に移動されるカムスライダと、該カムスライダを移動させるカム面を有し前記下型側に固定されるカムドライバとからなる吊下げ型のモジュールカムにおいて、前記カムドライバには、前記下型に取り付け固定するための固定部が一体にして設けられると共に、前記固定部の前端部からカムスライダ前進方向に沿って延設部を設け、更に上方に向けて前記延設部を延ばし、その上端部に前記カムスライダの工具取付面に対向する工具用の受け台取付部が設けられていることである。
【発明の効果】
【０００８】
本発明のモジュールカムによれば、据置き型のモジュールカムにおいては、カムベースに従来のモジュールベースが固定部として一体に形成され、吊下げ型のモジュールカムにおいては、カムドライバに従来のモジュールベースが固定部として一体に成型されている。よって、部品点数が減少するばかりでなく、取付の芯合わせ調整が不要となる。更に、一体化によって、躯体の一部に取り付け用ネジ孔を設ける必要が無くなり、剛性が高まる。
このようにして、モジュールカムの部品管理が容易となり、芯合わせの調整工数が削減されてコストの低減となる。また、剛性が高まることで長寿命となる。
【発明を実施するための最良の形態】
【０００９】
本発明に係る第１実施例のモジュールカム１の構成について説明する。図１乃至図２に示すように、例えば、自動車のフレーム等を加工する金型の上型と下型との間に装着され、前記上型に固定されて上下移動されるカムドライバ２と、該カムドライバ２の上下移動によりカム面２ａに沿って所望方向に移動されるカムスライダ３と、該カムスライダ３を移動自在に保持し前記下型側に固定されるカムベース４とからなる据置き型のモジュールカムである。
【００１０】
前記カムベース４には、前記下型に取り付け固定するための固定部４ａが一体にして設けられると共に、前記固定部４ａの前端部からカムスライダ前進方向に沿って延設部４ｂを設け、更に上方に向けて前記延設部４ｂを延ばし、その上端部に前記カムスライダ３の工具取付面３ａに対向する工具用の受け台取付部４ｃが設けられている。また、固定部４ａには、前記カムドライバ２により略水平方向に移動させられた前記カムスライダ３を元の位置に復帰させる復帰手段としての弾性部材（例えば、コイルスプリング）４ｄが設けられている。
【００１１】
このほか、リテーナ１６、パンチ１７，受け台１８等は、従来例と同様である。前記カムベース４の前記下型への取付用ボルト孔４ｅ，４ｆは、従来では直径略φ１０ｍｍ程度であったが、モジュールベースと固定するための取付け孔が不要となって断面欠損が少なくなるのでこのカムベース４の剛性が高まり、その結果、当該孔の直径を略φ１６ｍｍ程度に大きくすることができて、長寿命となる。
【００１２】
本発明に係る第２実施例のモジュールカム５は、図３乃至図４に示すように、金型の上型と下型との間に装着され、前記上型に固定されて上下移動されるカムベース６と、該カムベース６に支持され前記上下移動によりカム面に沿って所望方向に移動されるカムスライダ７と、該カムスライダ７を移動させるカム面８ｆを有し前記下型側に固定されるカムドライバ８とからなる吊下げ型のモジュールカムである。
【００１３】
前記カムドライバ８には、前記下型に取り付け固定するための固定部８ａが一体にして設けられると共に、前記固定部８ａの前端部からカムスライダ前進方向に沿って延設部８ｂを設け、更に上方に向けて前記延設部８ｂを延ばし、その上端部に前記カムスライダ７の工具取付面７ａに対向する工具用の受け台取付部８ｃが設けられている。
【００１４】
また、前記カムベース６には、前記カムドライバ８により略水平方向に移動させられた前記カムスライダ７を元の位置に復帰させる復帰手段としての弾性部材（例えば、コイルスプリング）６ａが設けられている。このほか、リテーナ１６、パンチ１７，受け台１８等は、従来例と同様である。前記カムドライバ８の前記下型への取付用ボルト孔８ｄ，８ｅは、従来では直径略φ１０ｍｍ程度であったが、モジュールベースと固定するための取付け孔が不要となって断面欠損が少なくなるのでこのカムドライバ８の剛性が高まり、その結果、当該孔の直径を略φ１６ｍｍ程度に大きくすることができて長寿命となる。
【００１５】
このように本発明に係るモジュールカム１，５は、モジュールベースを別体でなくカムベース若しくはカムドライバに一体化させたので、部品点数が削減される。また、手間の掛かるパンチ１７と受け台１８との芯合わせも容易となる。一体化により剛性も高まり、長寿命となる。このカムモジュール１，５の全体高さも、一体化により低くすることができる。
【図面の簡単な説明】
【００１６】
【図１】本発明に係るモジュールカム１の斜視図（Ａ）と、断面図（Ｂ）である。
【図２】同モジュールカム１の平面図（Ａ）、正面図（Ｂ）、側面図（Ｃ）である。
【図３】同本発明に係るモジュールカム５の斜視図（Ａ）と、断面図（Ｂ）である。
【図４】同モジュールカム５の平面図（Ａ）、正面図（Ｂ）、側面図（Ｃ）である。
【図５】従来例に係るモジュールカム１１の斜視図である。
【符号の説明】
【００１７】
１，５      モジュールカム、
２          カムドライバ、            ２ａ          カム面、
３          カムスライダ、            ３ａ          工具取付面、
４          カムベース、              ４ａ          固定部、
４ｂ        延設部、                  ４ｃ          受け台取付部、
４ｄ        弾性部材、                ４ｅ，４ｆ    ボルト孔、
６          カムベース、              ６ａ          弾性部材、
７          カムスライダ、            ７ａ          工具取付面、
８          カムドライバ、            ８ａ          固定部、
８ｂ        延設部、                  ８ｃ          受け台取付部、
８ｄ，８ｅ  ボルト孔、                ８ｆ          カム面、  
１６        リテーナ、
１７        パンチ、
１８        受け台。
【図１】
2005103565.tif 000003
【図２】
2005103565.tif 000004
【図３】
2005103565.tif 000005
【図４】
2005103565.tif 000006
【図５】
2005103565.tif 000007